【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
映像を表す映像データ、および、音声を表す音声データが異なる領域に記録された光ディスクから、前記映像および前記音声を同期して再生することが可能なデータ処理装置であって、前記領域は、１以上の単位領域から構成されており、
前記映像データおよび前記音声データの読み出し、および読み出されたデータに基づいて前記映像および前記音声の再生を指示する再生制御部と、
指示に基づいて前記単位領域ごとにデータの読み出しを行うヘッドと、
読み出された前記音声データを蓄積する音声バッファメモリと、
読み出された前記映像データを蓄積する映像バッファメモリと
を備え、前記再生制御部は、所定の単位領域から前記音声バッファメモリに前記音声データを読み出すように指示し、その後、前記ヘッドが移動に要する時間の（ｎ＋２）倍（ｎ：２以上の整数）に相当する第１の時間、および、次の単位領域内の音声データの読み出しに要する第２の時間にわたって再生可能な前記映像データを、ｎ個の前記単位領域から前記映像バッファメモリに読み出すように指示する、データ処理装置。
【請求項２】
前記第１の時間および前記第２の時間にわたって再生表示するために必要な前記映像データのデータ量は、第１の時間および第２の時間の和と、前記映像データの読み出し速度との積以上の値である、請求項１に記載のデータ処理装置。
【請求項３】
前記映像データが格納された前記単位領域のデータ長が、前記映像データの読み出しに要する総時間である第３の時間と前記映像データの読み出し速度との積をｎで除算した値以上である前記光ディスクから、前記映像および前記音声を同期して再生する、請求項１に記載のデータ処理装置。
【請求項４】
前記ヘッドが移動に要する時間は、前記光ディスクの最内周と最外周との間の移動に要する時間である、請求項１に記載のデータ処理装置。
【請求項５】
前記映像データおよび前記音声データの一方は、前記光ディスクの記録領域のうち、半径方向に関し中心部の領域に記録されており、前記ヘッドが移動に要する時間は、前記光ディスクの最内周と最外周との間の移動に要する時間の略半分の時間である、請求項１に記載のデータ処理装置。
【請求項６】
前記映像データが格納された前記単位領域の最小長が、少なくとも前記ヘッドが移動に要する時間にわたって再生可能な前記映像データの蓄積を完了するまでの前記映像データの読み出しに要する所要時間と、前記映像データの読み出し速度との積以上である前記光ディスクから、前記映像および前記音声を同期して再生する、請求項１に記載のデータ処理装置。
【請求項７】
前記映像データおよび前記音声データを記録する各単位領域のデータ長は、前記映像データおよび前記音声データのそれぞれについて規定された所定の最小長以上である、請求項１に記載のデータ処理装置。
【請求項８】
前記第２の時間に読み出される前記音声データのデータ量は、前記音声データを格納する前記単位領域の最小長の１倍から２倍の間である、請求項１に記載のデータ処理装置。
【請求項９】
光ディスクに対して、音声を表す音声データを記録することが可能なデータ処理装置であって、
前記光ディスクは、複数の第１単位領域から構成される第１領域を有し、前記第１領域には映像を表す映像データが記録されており、
前記音声データを蓄積する音声バッファメモリと、
複数の第２単位領域から構成される第２領域を確保し、前記第２領域に前記音声データの記録を指示する記録制御部と、
指示に基づいて前記単位領域ごとにデータの書き込みおよび読み出しを行うヘッドと、
を備えており、前記記録制御部は、前記ヘッドが移動に要する時間の（ｎ＋２）倍（ｎ：２以上の整数）に相当する第４の時間、および、ｎ個の前記第１単位領域内の前記映像データの読み出しに要する第５の時間にわたって再生可能な前記音声データのデータ量以上の値を、前記第２単位領域のデータ長として特定し、第２領域を確保する、データ処理装置。
【請求項１０】
前記映像データの読み出しを指示し、読み出された前記映像データに基づいて前記映像の再生を指示する再生制御部と、
読み出された前記映像データを蓄積する映像バッファメモリと
をさらに備え、前記再生制御部は、前記ヘッドが移動に要する時間の３倍に相当する第６の時間、および、前記第２単位領域のデータ長の２倍に相当するデータ量の音声データの読み出しに要する第７の時間にわたって再生可能な前記映像データを、ｎ個以下の前記第１単位領域から前記映像バッファメモリへの読み出しと再生の指示とを行いながら蓄積するように指示する、請求項９に記載のデータ処理装置。
【請求項１１】
前記記録制御部は、前記第２単位領域の各々に対して、連続して前記音声データの記録を指示する、請求項９に記載のデータ処理装置。
【請求項１２】
前記記録制御部は、前記映像データおよび音声データの各々の再生タイミングを特定する再生制御情報を生成し、前記第１領域および前記第２領域とは異なる領域に前記再生制御情報の記録を指示する、請求項１１に記載のデータ処理装置。
【請求項１３】
前記再生制御部は、前記再生制御情報に基づいて、前記映像データおよび前記音声データを同期して再生することが可能である、請求項１２に記載のデータ処理装置。
【請求項１４】
前記第１領域および前記第２領域の一方は、前記光ディスクの半径方向に関して前記光ディスクの記録領域のほぼ半分の位置に設けられる、請求項９に記載のデータ処理装置。
【請求項１５】
前記光ディスクは、複数の第３単位領域から構成される第３領域を有し、前記第３領域には映像データおよび音声データの少なくとも一方のデータが記録されており、少なくとも１つの第３単位領域は、少なくとも１つの第１単位領域と物理的に隣接して配置されており、
前記記録制御部は、前記第４の時間、および、前記第５の時間、および、ｎ個の前記第３単位領域内の前記データの読み出しに要する第８の時間にわたって再生可能な前記音声データのデータ量に基づいて、前記第２単位領域のデータ長を特定し、第２領域を確保する、請求項９に記載のデータ処理装置。
【請求項１６】
光ディスクに、映像を表す映像データ、および、音声を表す音声データを記録することが可能なデータ処理装置であって、
前記光ディスクは、複数の第１単位領域から構成される連続した第１領域、および、複数の第２単位領域から構成される連続した第２領域を有し、
前記第１領域を確保して前記第１領域に前記映像データの記録を指示し、
前記第２領域を確保して前記第２領域に前記音声データの記録を指示する記録制御部と、
指示に基づいて単位領域ごとにデータの書き込みおよび読み出しを行うヘッドと
を備えており、前記記録制御部は、物理的に隣接する少なくとも１つの第１単位領域、および、少なくとも１つの第２単位領域を確保し、前記音声データが書き込まれた前記第２領域の位置を特定する位置情報を取得して、前記光ディスクへの書き込みを指示する、データ処理装置。
【請求項１７】
前記映像データは１つのデータファイルとして格納され、
前記記録制御部は、前記データファイルに関連付けて前記位置情報を記録する、請求項１６に記載のデータ処理装置。
【請求項１８】
前記音声データは１つのデータファイルとして格納され、
前記記録制御部は、前記データファイルに関連付けて前記位置情報を記録する、請求項１６に記載のデータ処理装置。
【請求項１９】
前記光ディスクには、前記映像および前記音声の再生タイミングを規定するプレイリスト情報がプレイリストファイルとして記録されており、
前記記録制御部は、前記プレイリストファイルに前記位置情報を格納する、請求項１６に記載のデータ処理装置。
【請求項２０】
前記記録制御部は、前記音声データが書き込まれた前記第２単位領域毎に前記位置情報を生成する、請求項１６に記載のデータ処理装置。